(57)【特許請求の範囲】
【請求項１】
連続して配置される第一の部屋と第二の部屋内を仕切る間仕切り位置と、その間仕切り状態を開放する開放位置との間で間仕切壁を移動可能に構成した部屋の間仕切り装置において、第一の部屋と第二の部屋の一部に設けられる室内壁と平行に設ける平行レールと該平行レールに対して直角方向の直角レールとを設けて、間仕切壁を平行レール上と直角レール上をスライド移動可能に構成するとともに、前記可動間仕切壁の左右一端を垂直方向に延設して平面視Ｌ字状に折曲部を構成し、開放位置での間仕切壁が室内壁の前面と側面を覆うように構成したことを特徴とする部屋の間仕切り装置。
【発明の詳細な説明】
【０００１】
【発明の属する技術分野】
本発明は、可動式の間仕切壁を用いて部屋を仕切る装置の技術に関する。
【０００２】
【従来の技術】
従来から、部屋の間仕切り構造において、部屋内に間仕切壁を配置し、該間仕切壁を、部屋を複数の部屋に仕切る間仕切り位置と、その間仕切り状態を開放する開放位置との間で移動可能に構成する技術が知られている。
例えば、特開平７−２３８２８号や特開平９−２１７５４６号の技術である。この技術において、天井面にレールが敷設され、該レールに沿って間仕切を移動して９０度回動させ、室内壁に沿わせた開放状態の収納位置と、部屋内に移動した仕切位置とに変更できる構成等が公知である。
【０００３】
【発明が解決しようとする課題】
しかし、上記の構成において、前者の場合、間仕切壁には収納家具としており、厚さ方向が大きく単なる仕切りとする場合には嵩張り、移動に際して重く、動力が必要となる。後者の技術においては、開放状態においては仕切り壁を収納しておくスペースが必要となり、壁に沿わせたままでは仕切りか壁として露出したままとなってしまい、外観上よくない。
【０００４】
【課題を解決するための手段】
本発明の解決しようとする課題は以上の如くであり、次にこの課題を解決するための手段を説明する。
【０００５】
即ち、請求項１においては、連続して配置される第一の部屋と第二の部屋内を仕切る間仕切り位置と、その間仕切り状態を開放する開放位置との間で間仕切壁を移動可能に構成した部屋の間仕切り装置において、第一の部屋と第二の部屋の一部に設けられる室内壁と平行に設ける平行レールと該平行レールに対して直角方向の直角レールとを設けて、間仕切壁を平行レール上と直角レール上をスライド移動可能に構成するとともに、前記可動間仕切壁の左右一端を垂直方向に延設して平面視Ｌ字状に折曲部を構成し、開放位置での間仕切壁が室内壁の前面と側面を覆うように構成したものである。
【０００６】
【発明の実施の形態】
次に、発明の実施の形態を説明する。
図１は本発明による間仕切り装置の配設例の平面図、図２は同じく間仕切り装置の開放状態での斜視図、図３は同じく間仕切り装置の間仕切り状態での斜視図である。図４はレールの平面図、図５は間仕切壁の正面図、図６は間仕切壁及びレールの断面図、図７は間仕切壁の走行体の側面図、図８は間仕切壁固定装置の斜視図、図９は間仕切壁固定装置の正面図、図１０は第２実施例における間仕切壁及び室内壁の平面図、図１１は従来技術の第１例における間仕切壁及び室内壁の平面図、図１２は従来技術の第２例における間仕切壁及び室内壁の平面図である。
【０００７】
まず、本発明による間仕切り装置の配設例を説明する。
図1に示す如く、住宅１の適宜箇所に第一の部屋（以下キッチン）２と第二の部屋（以下ダイニング）３が連続的に同一平面上に隣接して配置され、該キッチン２とダイニング３が本発明の間仕切壁４により仕切ることを可能とし、該間仕切壁４は後述するように、天井に埋設されたレール５に懸架され、該レール５に沿って移動可能に構成されている。
前記キッチン２のスペースには流し台２３やコンロ２４等が直線状に配置され、ダイニング３に対してオープンな形としている。そして、第一の部屋と第二の部屋の一部に、キッチン（第一の部屋）２の長手方向に対して直角方向に対向して室内壁１９が配置される。つまり、流し台２３に対して対向する壁２６側から直角方向に室内壁１９が、流し台２３方向に突出し、キッチンスペースを略半分に分断するように室内壁１９が突出して配置されている。該室内壁１９と流し台２３との間には人が十分通過できる空間が設けられている。
【０００８】
次に、前記間仕切壁４の構成について説明する。
図１に示す如く、前記間仕切壁４はその左右一端を垂直方向に延設して平面視Ｌ字状に構成して折曲部４ａとし、該折曲部４ａの突出長さは室内壁１９の端部での厚さと略同一として、間仕切壁４を収納状態（開放状態）においては、ダイニング３側の室内壁１９に沿って配置され、この状態で、前記折曲部４ａは室内壁１９の端面を覆うように構成している。
【０００９】
前記間仕切壁４の上部には図５に示す如く走行体６・６が配設されている。該走行体６の一方は前記折曲部４ａ側における端部より若干中央側に位置した上面に配設され、つまり、室内壁１９の端部と同等位置に配置され、他方の走行体６は間仕切壁４の他方の端部上に配設される。これら走行体６・６の構造は同一の構造としており、該走行体６・６を天井に敷設したレール５に懸架させることで間仕切壁４をスライド移動可能に天井に吊設している。
【００１０】
該走行体６の構造は図６及び図７に示す如く、吊り軸７と車輪９から構成され、該吊り軸７は間仕切壁４の上面端部より鉛直上方に突出されており、間仕切壁４の上面から上方を開放した支持筒２７を挿入して埋め込み固定し、該支持筒２７に吊り軸７を挿入し、該吊り軸７の中途部にはリング１１とナット１０を遊嵌し、該ナット１０を支持筒２７に螺装固定している。こうして吊り軸７の下部を間仕切壁４に対して回転自在に支持する。
【００１１】
該吊り軸７の上部にはブッシュ２８を介して車軸８の左右中央部が回転自在に横架して支持され、該車軸８の両側に車輪９・９が固設されている。但し、車軸８を吊り軸７に固設し、該車軸８に車輪９・９を回転自在に支持する構成とすることもできる。
前記車輪９・９はレール５内を走行できるようにしている。該レール５は断面視逆凹状に構成され、下面中央長手方向に吊り軸７が通過する溝５ａが形成され、その両側の底板部５ｂ・５ｂの内面を走行面としている。前記車輪９は円柱状として、その直径はレール５の内部の上下方向高さよりも小さくし、車輪９・９の両左右端の幅はレール５内部の左右幅より若干短くして、吊り軸７の回転により車輪９も左右方向に連れ回りしても、車輪９側面がレール５の内面に当接して、車輪９が走行方向と違う方向に向かないようにするとともに、溝５ａに落ちないようにしている。
【００１２】
また、図５に示す如く、該間仕切壁４は室内の床面１２に接しないように該床面１２より上方に浮いて吊り下げ配置されている。
また、図５、図８及び図９に示す如く、前記間仕切壁４の両側下端部にそれぞれ固定装置１３・１３が配設されている。該固定装置１３は固定軸１４と該固定軸１４を被覆するカバー１５と受体１７からなり、該カバー１５は断面Ω状に構成して内部に前記固定軸１４を上下摺動自在に収納し、該カバー１５の中央部には「コ」字状の長孔１５ａが開口される。該長孔１５ａの上部と下部にはそれぞれ水平方向へ延びる係止溝部１５ｂ・１５ｃが形成されている。そして、前記固定軸１４の上部にはレバー１６が該固定軸に対し略直角をなすように長孔１５aより突出して固定され、該固定軸１４の下端は該カバー１５下部から出退可能に配置している。
【００１３】
このようにして該固定軸１４は間仕切壁４及び該カバー１５に対して上下摺動、及び水平方向への回動が可能なように構成され、前記レバー１６を係止溝部１５ｂ・１５ｃのいずれかに係合することで、間仕切壁４を摺動自在としたり、所定位置で固定したりできるようにしている。
【００１４】
そして、前記キッチン２とダイニング３の床面１２の所定位置に受体１７・１７・・・が固定されている。該受体１７はプレートの中央に前記固定軸１４の断面より若干大きい凹部１７ａが形成され、固定軸１４を間仕切壁４下端から突出させたときに凹部１７ａに嵌入して間仕切壁４を固定できるようにしている。つまり、レバー１６を上部係止溝部１５ｂに係合した非ロック位置のときは、固定軸１４は受体１７に接触せず浮いた状態となっており、間仕切壁４は摺動自在となる。該レバー１６を下部係止溝部１５ｃに係合したロック位置のときは、固定軸１４が下方に突出して固定された状態となり、下端が受体１７の凹部１７ａに嵌入し、固定装置１３により間仕切壁４が床面１２に固定される。なお、本実施例では所謂フランス落としとして構成されているが、この構造に限定されるものではなく、死点越えのロックレバーで固定軸下端を床面に押しつけて固定する等の構成とすることもできる。このとき固定軸１４下端にゴム等の弾性体または吸盤等を用いることで任意位置に固定することができる。また、受体１７は蓋体で隠すように構成することもでき、必要なときのみ露出するように構成できる。
【００１５】
このように、固定装置１３を非ロック位置としたときには、間仕切壁４が床面１２と接触せず、該間仕切壁４を移動するときに、接触や摩擦により床面１２に傷がつくことが防止でき、また、該床面１２に段差が生じることも防止できるという利点がある。
【００１６】
本実施例においては前記間仕切壁４の中央部に窓を配設している。図５に示すように本実施例では４個の略正方形状の窓１８、１８、１８、１８を対称に配置しているが、窓の形状や数、該間仕切壁への配設位置等は意匠面、実用面での要請に応じて異なる構成とすることも可能である。
【００１７】
次に、前記間仕切壁４の移動機構について説明する。
図４に示す如く、前記レール５はダイニング３の天井において、前記室内壁１９に平行で近接して平行レール２０が配設され、さらに、該室内壁１９に対し略直角方向に伸びる直角レール２１が前記平行レール２０のキッチン側端部からダイニング３の部屋内へ延設され、平面視略Ｌ字形状を構成している。そして、図６に示す如く、該レール５は天井に埋設され、該レール５の下面が天井表面と略同一平面上となるように構成されている。
【００１８】
このような構成において、前記間仕切壁４を図２に示す開放位置から図３に示す間仕切り位置へと移動させる場合を例として、該間仕切壁４のレール５上での移動について説明する。
間仕切壁４が開放位置においては、ダイニング３の利用可能な床面積が過度に狭くなることを防いでキッチン２とダイニング３をつなげて広い範囲の空間を確保できるようにしている。このときの間仕切壁４は室内壁１９が位置するダイニング３の一辺と略同じ長さ（幅）に構成されており、室内壁１９に沿うように間仕切壁４が配置されているので、室内壁１９はダイニング３から見て間仕切壁４により隠れており、室内壁１９の端部も折曲部４ａにより隠れて、一体の壁のように見える。走行体６は平行レール２０の両端部（２０ａ・連結部２０ｂ）に位置している。
この状態から間仕切壁４を間仕切り位置へ移動する場合には、固定装置１３のレバー１６を下部係止位置１５ｃから持ち上げて上部係止位置１５ｂに係合することで固定軸１４を受体１７との係合を解除する。
【００１９】
この状態から間仕切壁４を移動すると、一方の走行体６は直角レール２１上を連結部２０ｂからもう一方の端部２１ａに達するまで移動する。他方の走行体６は平行レール２０上を端部２０ａから連結部２０ｂへと移動する。この間、該間仕切壁４と該走行体６・６は回動可能に枢結されているので、該間仕切壁４は該走行体６・６の移動に伴い回動しつつ移動し、該走行体６ａが該直角レール２１の端部２１ａに達した時点で該間仕切壁４は移動開始時に対し９０度回動しており、同時に開放位置から間仕切り位置への移動が完了している。そして、固定装置１３のレバー１６を下部係止位置１５ｃに係合させることで、固定軸１４下端が受体１７の凹部１７ａに嵌合してロックされる。このとき、間仕切壁４はダイニング３から見て同じ面となっており、ダイニング３からキッチン２を見ることができなくなるのである。
逆に、前記間仕切壁４の間仕切り位置から開放位置への移動に際しては、上記の手順を逆に行う。
【００２０】
この構成においては、図１１に示すような、間仕切壁４’の一端に回転軸２２を設け、該間仕切壁４’を回動させて移動させる構成では間仕切壁４’の裏面が見えるのに対し、該間仕切壁４の前記ダイニング３側に位置する面が常に同一となるため、該間仕切壁４の両面に該ダイニング３側からの景観を考慮した意匠を施す必要がないので有利である。さらに該間仕切壁４が間仕切り位置にあるときに前記キッチン２側に露出する面は、該間仕切り壁４がどの位置にある場合でも該ダイニング３側には露出しないため、該キッチン２での調理器具等の使用に伴う該間仕切壁４の汚れが該ダイニング３側からの景観には影響しないという点も、意匠面における利点となっている。
【００２１】
そして、従来のように、図１２に示す如く間仕切壁４”を平板状に構成すると、該間仕切壁４”が開放位置にある状態において、前記キッチン２の側から該間仕切壁４”を見た場合、該間仕切壁４”と前記室内壁１９との合わせ目が露出しているため、該間仕切壁４”と該室内壁１９が一体の壁として見え難く、意匠面での問題となっていた。
しかし、間仕切壁４を前述のようにＬ字形状とし、前記折曲部４ａの長さを該室内壁１９の端部での厚さと略同一とすることで、該室内壁１９の端部、及び該間仕切壁４と該室内壁１９との合わせ目が該間仕切壁４の折曲部４ａによって隠蔽され、該間仕切壁４及び該室内壁１９が一体の壁としての厚みを有するように見えるので、意匠面での問題が改善される。
【００２２】
なお、本実施例では前記室内壁１９の長手方向幅を前記間仕切壁４と略同一としているが、室内壁の幅を該間仕切壁４より広く構成することも可能である。その場合、図１０に示すように、室内壁１９’を該間仕切壁４の大きさに合わせた凹部を有する形状とすることで、該間仕切壁４が開放位置にある状態において、該間仕切壁４と該室内壁１９’との間に段差が生じることを防止することも可能である。
【００２３】
【発明の効果】
本発明は、以上のように構成したので、以下に示すような効果を奏する。
【００２４】
即ち、請求項１に示す如く、連続して配置される第一の部屋と第二の部屋内を仕切る間仕切り位置と、その間仕切り状態を開放する開放位置との間で間仕切壁を移動可能に構成した部屋の間仕切り装置において、第一の部屋と第二の部屋の一部に設けられる室内壁と平行に設ける平行レールと該平行レールに対して直角方向の直角レールとを設けて、間仕切壁を平行レール上と直角レール上をスライド移動可能に構成するとともに、前記可動間仕切壁の左右一端を垂直方向に延設して平面視Ｌ字状に折曲部を構成し、開放位置での間仕切壁が室内壁の前面と側面を覆うように構成したので、開放位置においては、室内壁の端部は間仕切壁の折曲部によって隠蔽され、該間仕切壁及び該室内壁が一体の壁としての厚みを有するように見えるため、意匠面での外観を向上できる。
【図面の簡単な説明】
【図１】本発明による間仕切り装置の配設例の平面図。
【図２】同じく間仕切り装置の開放状態での斜視図。
【図３】同じく間仕切り装置の間仕切り状態での斜視図。
【図４】レールの平面図。
【図５】間仕切壁の正面図。
【図６】間仕切壁及びレールの断面図。
【図７】間仕切壁の走行体の側面図。
【図８】間仕切壁固定装置の斜視図。
【図９】間仕切壁固定装置の正面図。
【図１０】第２実施例における間仕切壁及び室内壁の平面図。
【図１１】従来技術の第１例における間仕切壁及び室内壁の平面図。
【図１２】従来技術の第２例における間仕切壁及び室内壁の平面図。
【符号の説明】
４  間仕切壁
４ａ  折曲部
１９  室内壁
【図１】
0003709520.tif 000002
【図２】
0003709520.tif 000003
【図３】
0003709520.tif 000004
【図４】
0003709520.tif 000005
【図５】
0003709520.tif 000006
【図６】
0003709520.tif 000007
【図７】
0003709520.tif 000008
【図８】
0003709520.tif 000009
【図９】
0003709520.tif 000010
【図１０】
0003709520.tif 000011
【図１１】
0003709520.tif 000012
【図１２】
0003709520.tif 000013